(57)【特許請求の範囲】
【請求項１】
前面に開口する陳列室内に商品を陳列するための棚を複数段設けて成るオープンショーケースにおいて、
前記陳列室の背面両側に設けられ、前記複数段の棚のうち少なくとも一つの棚を架設するための棚支柱と、
前記棚の前部に着脱可能に取り付けられ、少なくとも前記商品の取り出しが不能になるよう当該棚上の空間前部を閉じるためのカバーと、
後端が前記棚支柱にそれぞれ係合され、前部が前記カバーの両側にそれぞれ係合される左右一対の腕部材と、
各腕部材と前記カバーとが係合した状態でそれらを連結し、且つ、施錠する施錠具とを備え、
前記カバーは、前記棚上の空間前方に位置する前壁部と、該前壁部の両側から後方に延在する側壁部と、該側壁部の内側における前記前壁部の両側に形成された係合孔と、前記側壁部に形成されたカバー側施錠孔とを有し、
前記腕部材は、該腕部材の前部に腕部材側施錠孔が貫通して形成され、前記カバーが取り付けられた状態で、前記各腕部材の前部が前記カバーの側壁部内側に位置し、前記各腕部材の前部が前記係合孔にそれぞれ進入して係合すると共に、その状態で前記腕部材側施錠孔が前記カバー側施錠孔に合致し、前記施錠具は、合致した状態の前記腕部材側施錠孔と前記カバー側施錠孔とに進入して前記カバーを前記各腕部材と連結した状態で施錠することを特徴とするオープンショーケース。
【請求項２】
前記左右一対の腕部材には、前記カバーが取り付けられた状態で、当該カバーの側壁部より後方に位置して、後部より前部が内側となる屈曲部が形成され、前記カバーが取り付けられた状態で、前記左右一対の腕部材の前部が前記カバーの側壁部内側に位置することを特徴とする請求項１に記載のオープンショーケース。
【請求項３】
前記施錠具は、前記カバーの前壁部に設けられると共に、施錠状態で前記各施錠孔に内側から進入する止め具を有することを特徴とする請求項１または請求項２に記載のオープンショーケース。
【請求項４】
前記カバーは、各側壁部下部の内側にそれぞれ設けられ、前記棚に吸着する磁石を有し、該磁石が吸着した状態で前記棚前方において起立すると共に、
前記各腕部材は、前部が前記係合孔に進入した状態で前記磁石の上側に位置することを特徴とする請求項１乃至請求項３のうちの何れかに記載のオープンショーケース。
【請求項５】
前記一対の腕部材の後部間に渡って設けられ、各腕部材を相互に連結する連結部材を備えたことを特徴とする請求項１乃至請求項４のうちの何れかに記載のオープンショーケース。
【請求項６】
前記連結部材には、複数の通気孔が形成されていることを特徴とする請求項５に記載のオープンショーケース。
【発明の詳細な説明】
【技術分野】
【０００１】
本発明は、前面に開口する陳列室内に棚を設けて成るオープンショーケースに関するものである。
【背景技術】
【０００２】
従来よりこの種オープンショーケースは、例えば特許文献１に示される如く、前面に開口する断面略コ字状の断熱壁内を仕切板にて仕切り、この仕切板の前側を陳列室（貯蔵室）とし、後側をダクトとしている。そして、前記陳列室の背面両側には棚支柱が設けられ、この棚支柱に商品を陳列するための棚を複数段架設すると共に、ダクト内には冷却器と送風機を設置し、この冷却器により冷却された冷気を送風機にて前記開口上縁の冷気吐出口から吐出し、開口下縁の冷気吸込口から吸い込む。これによって、開口に冷気エアーカーテンを形成しつつ、一部を陳列室内に循環させて、各棚上の商品を冷却する方式とされていた。
【先行技術文献】
【特許文献】
【０００３】
【特許文献１】特開平５−１１５３４４号公報
【発明の概要】
【発明が解決しようとする課題】
【０００４】
複数段架設された棚には、それぞれ商品が陳列されることとなるが、商品によっては、その販売形態などによりその販売が制限される場合がある。例えば、医薬品などの場合、薬事法によりその販売時間帯などが制限される場合がある。販売が制限された商品が、当該制限がない商品と同一のショーケースにおいて陳列されていると、どの商品が販売制限されているが否かが不明瞭となり、個別に販売制限がある旨の表示等を行っても、その陳列形態が複雑化する。これにより、顧客はその販売制限がある商品であるにもかかわらず、商品を陳列棚から取り出してしまう不都合が生じる。
【０００５】
商品の販売制限の条件に該当する度に該当商品を当該棚から搬出する作業を行うことが考えられるが、係る作業は煩雑となる。また、当該商品を搬出した後も販売制限の条件解除後における販売に供すべく、別置きの設備において所定温度に冷却しておく必要がある。
【０００６】
そこで、特定の商品が陳列された棚の前面を閉塞するカバーを着脱自在に設けたオープンショーケースが開発されている。この場合、棚上の空間前部を前方に開放した状態と、閉じた状態とに変更可能とするカバーを棚の前端部に設けられたプライスカードを取り付けるための溝などに差し込みことで設けていた。
【０００７】
しかしながら、かかる構成では、顧客が故意にカバーを取り外してしまい、販売を制限したい商品が取り出されてしまう問題がある。また、当該カバーが設けられる棚を引出自在の可動棚により構成することで、陳列室内に収納された状態では、カバーの上端が直ぐ上の棚下面に近接若しくは、陳列室の前面開口上縁に近接することで当該カバーの取り外しを不能とし、棚が引き出された状態で、カバーを取り外し可能としている。この場合、顧客が故意に可動棚を引き出してしまうとカバーが設けられていても、当該棚上に陳列収納された商品が取出可能となってしまう。
【０００８】
そのため、より厳格な商品の販売規制を容易に実現することができるオープンショーケースが開発が望まれていた。
【０００９】
本発明は、従来の技術的課題を解決するためになされたものであり、棚上に商品を陳列したままで、簡素な構成にて特定の商品の販売制限等を円滑に、且つ、厳格に行うことを可能とするオープンショーケースを提供する。
【課題を解決するための手段】
【００１０】
上記課題を解決するために、本発明のオープンショーケースは、前面に開口する陳列室内に商品を陳列するための棚を複数段設けて成るものであって、陳列室の背面両側に設けられ、複数段の棚のうち少なくとも一つの棚を架設するための棚支柱と、棚の前部に着脱可能に取り付けられ、少なくとも商品の取り出しが不能になるよう当該棚上の空間前部を閉じるためのカバーと、後端が棚支柱にそれぞれ係合され、前部がカバーの両側にそれぞれ係合される左右一対の腕部材と、各腕部材とカバーとが係合した状態でそれらを連結し、且つ、施錠する施錠具とを備え、カバーは、棚上の空間前方に位置する前壁部と、該前壁部の両側から後方に延在する側壁部と、該側壁部の内側における前壁部の両側に形成された係合孔と、側壁部に形成されたカバー側施錠孔とを有し、腕部材は、該腕部材の前部に腕部材側施錠孔が貫通して形成され、カバーが取り付けられた状態で、各腕部材の前部がカバーの側壁部内側に位置し、各腕部材の前部が係合孔にそれぞれ進入して係合すると共に、その状態で腕部材側施錠孔がカバー側施錠孔に合致し、施錠具は、合致した状態の腕部材側施錠孔とカバー側施錠孔とに進入してカバーを各腕部材と連結した状態で施錠することを特徴とする。
【００１１】
請求項２の発明は、上記発明において、左右一対の腕部材には、カバーが取り付けられた状態で、当該カバーの側壁部より後方に位置して、後部より前部が内側となる屈曲部が形成され、カバーが取り付けられた状態で、左右一対の腕部材の前部がカバーの側壁部内側に位置することを特徴とする。
【００１２】
請求項３の発明は、上記各発明において、施錠具は、カバーの前壁部に設けられると共に、施錠状態で各施錠孔に内側から進入する止め具を有することを特徴とする。
【００１３】
請求項４の発明は、上記各発明において、カバーは、各側壁部下部の内側にそれぞれ設けられ、棚に吸着する磁石を有し、該磁石が吸着した状態で棚前方において起立すると共に、各腕部材は、前部が係合孔に進入した状態で磁石の上側に位置することを特徴とする。
【００１４】
請求項５の発明は、上記各発明において、一対の腕部材の後部間に渡って設けられ、各腕部材を相互に連結する連結部材を備えたことを特徴とする。
【００１５】
請求項６の発明は、上記発明において、連結部材には、複数の通気孔が形成されていることを特徴とする。
【発明の効果】
【００１６】
本発明によれば、前面に開口する陳列室内に商品を陳列するための棚を複数段設けて成るものであって、陳列室の背面両側に設けられ、複数段の棚のうち少なくとも一つの棚を架設するための棚支柱と、棚の前部に着脱可能に取り付けられ、少なくとも商品の取り出しが不能になるよう当該棚上の空間前部を閉じるためのカバーと、後端が棚支柱にそれぞれ係合され、前部がカバーの両側にそれぞれ係合される左右一対の腕部材と、各腕部材とカバーとが係合した状態でそれらを連結し、且つ、施錠する施錠具とを備え、カバーは、棚上の空間前方に位置する前壁部と、該前壁部の両側から後方に延在する側壁部と、該側壁部の内側における前壁部の両側に形成された係合孔と、側壁部に形成されたカバー側施錠孔とを有し、腕部材は、該腕部材の前部に腕部材側施錠孔が貫通して形成され、カバーが取り付けられた状態で、腕部材の前部がカバーの側壁部内側に位置し、腕部材の前部が係合孔にそれぞれ進入して係合すると共に、その状態で腕部材側施錠孔がカバー側施錠孔に合致し、施錠具は、合致した状態の腕部材側施錠孔とカバー側施錠孔とに進入してカバーを各腕部材と連結した状態で施錠するので、カバーにて特定の棚上の空間前部を閉じることで、当該棚上の商品を取り出せないようにすることが可能となる。
【００１７】
これにより、例えば薬事法などにより販売形態が制限される商品であっても、当該商品が陳列される特定の棚上の空間前部をカバーにて閉じることにより、顧客が任意に当該商品を取り出して販売に供されてしまう不都合を未然に回避することが可能となる。
【００１８】
特に、本発明では、後端が棚支柱にそれぞれ係合された左右一対の腕部材は、前部がカバーの両側にそれぞれ係合され、各腕部材とカバーとが係合した状態で施錠具によって連結されるため、各腕部材とカバーとの連結を強固とすることができる。
【００１９】
そして、各腕部材とカバーとは連結された状態で、施錠具にてこのカバーの取り外しを禁止することできるため、棚上の空間前部が閉じられた状態を厳格に維持することができ、顧客等により故意にカバーが取り外される等によって、当該前部が閉じられた状態の棚上から商品等が任意に取り出されてしまう不都合を確実に回避することができる。
【００２０】
また、腕部材をカバーに施錠した状態で、カバーは前方に移動できなくなるので、棚が引き出し自在の可動式の棚である場合にも、当該棚が前方に引き出されることで、当該棚上の商品が取り出されてしまう不都合を防止することが可能となる。これにより、棚が引出自在の可動式の棚の場合であっても厳格な商品管理を実現することが可能となる。
【００２１】
更に、腕部材は棚を架設するための棚支柱を利用して取り付けられるので、腕部材をオープンショーケースに固定するための格別な構造をオープンショーケース側に構成する必要が無くなり、汎用性に富んだものとなると共に、生産コストの高騰も抑制することができるようになるものである。
【００２２】
請求項２の発明によれば、上記発明に加えて、左右一対の腕部材には、カバーが取り付けられた状態で、当該カバーの側壁部より後方に位置して、後部より前部が内側となる屈曲部が形成され、カバーが取り付けられた状態で、左右一対の腕部材の前部がカバーの側壁部内側に位置する。この腕部材の前部は、前端よりカバーの前壁部の両側に形成された各係合孔に進入して係合可能とされる。
【００２４】
請求項３の発明によれば、上記各発明に加えて、施錠具は、カバーの前壁部に設けられると共に、施錠状態で各施錠孔に内側から進入する止め具を有するため、別途錠前を付ける場合に比して施錠具を紛失等する事故が生じない。また、この場合、施錠具はカバーの前壁部にあるため、左右の側壁部に設けられる場合と異なり、ショーケースに干渉しないものとすることができる。
【００２５】
更に、施錠具の止め具は内側から各施錠孔に進入する構成とされていると共に、各腕部材は各側壁部の内側にあるため、腕部材が外側に変形させられ難くなる。そのため、当該腕部材が変形されると腕部材側施錠孔から止め具が外れてしまうが、そのような不都合が生じ難くなる。
【００２６】
請求項４の発明によれば、上記各発明に加えて、カバーは、各側壁部下部の内側にそれぞれ設けられ、棚に吸着する磁石を有し、この磁石が吸着した状態で棚前方において起立するようにしたので、カバーを特定の棚に取り付ける際に、腕部材と施錠するまで容易且つ安定的に棚に起立させておくことができるようになり、着脱操作性が著しく向上するものである。
【００２７】
また、各腕部材は、前部が係合孔に進入した状態で磁石の上側に位置することにより、いずれもカバーの内側に位置する磁石と、各腕部材とが相互に干渉しないものとすることができ、支障なくカバーを取り付けることができる。
【００２８】
請求項５の発明のよれば、上記各発明に加えて、一対の腕部材の後部間に渡って設けられ、各腕部材を相互に連結する連結部材を備えたことにより、カバーを各腕部材に取り付けた状態で、カバーの前壁部と、各側壁部と、各腕部材及び連結部材が枠状になり、強度を著しく向上させることができる。
【００２９】
また、各腕部材が連結されることにより、それらを支柱に取り付ける際の位置決めが容易となり、各腕部材の後端が異なる高さに取り付けられる不都合を解消することができる。更に、当該連結部材は、棚の後部において、当該棚上に陳列された商品の後側を押さえることができ、カバー取付の際に、商品が後方に倒れてしまう不都合を防止することができる。
【００３０】
請求項６の発明によれば、上記発明に加えて、連結部材には、複数の通気孔が形成されているので、例えば、陳列室の背面を構成する仕切板に冷気吹出孔が形成されている場合であっても、当該連結部材の通気孔により庫内の冷気循環を邪魔する不都合を回避することができる。
【図面の簡単な説明】
【００３１】
【図１】本発明の実施形態であるオープンショーケースの正面図である。
【図２】図１のオープンショーケースの右側面図である。
【図３】図１のオープンショーケースのカバーと腕部材の連結、施錠状態を示す側面図である（上から２段目の棚）。
【図４】図１のオープンショーケースの棚の斜視図である。
【図５】図１のオープンショーケースのデッキパン（棚）の斜視図である。
【図６】図１のオープンショーケースのカバーの正面図である。（上から２段目の棚用）
【図７】図１のオープンショーケースのカバーの側面図である。
【図８】図１のオープンショーケースの腕部材の右側面図である。
【図９】図１のオープンショーケースの各腕部材及び連結部材の連結状態の正面図である。
【図１０】図１のオープンショーケースのカバーの正面図である。（最上段の棚用）
【図１１】図１のオープンショーケースのカバーと腕部材の連結、施錠状態を示す側面図である（最上段の棚）。
【発明を実施するための形態】
【００３２】
以下、図面に基づき本発明の実施形態を詳述する。図１は本発明の実施形態であるオープンショーケース１の正面図、図２は図１のオープンショーケース１の右側面図、図３は図１のオープンショーケース１のカバー５０と腕部材５６の連結、施錠状態を示す側面図をそれぞれ示している。各図において、実施例のオープンショーケース１は、例えばコンビニエンスストアなどに設置されてドリンク類の陳列販売に供されるものであり、前面に開口する断面略コ字状の断熱壁６と、この断熱壁６の左右に取り付けられた側板７、７とから構成されている。
【００３３】
この断熱壁６の背壁内側には仕切板（インテリアリア）８が取り付けられ、その前側を前面に開口する陳列室９とし、仕切板８と断熱壁６間をダクト１１としている。即ち、仕切板８は陳列室９の背面に位置している。また、断熱壁６の天壁６Ａは底壁６Ｂよりも奥側で終了しており、天壁６Ａの前端下側、即ち、陳列室９の前面開口２の上縁に冷気吐出口１２が形成され、底壁６Ｂの前端上側、即ち、前面開口２の下縁に冷気吸込口１３が形成されて、それぞれダクト１１に連通している。
【００３４】
このダクト１１内には冷却装置の冷凍サイクルを構成する図示しない冷却器と送風機が設置され、断熱壁６の底壁６Ｂ下側に構成された機械室内には、前記冷却器と共に冷凍サイクルを構成する圧縮機、凝縮器及び凝縮器用送風機などが設置されている。
【００３５】
そして、陳列室９内の背面両側には上下に所定間隔で複数の係合孔１８が穿設された棚
支柱１７、１７が取り付けられており、この棚支柱１７、１７間に渡って詳細は後述する
商品を陳列するための金属製の棚３（本発明における複数段の棚のうちの少なくとも一つの棚）が上下複数段に渡って架設されている。また、陳列室９の底面には、棚３と同様の機能を奏し、本発明においては商品を陳列するための棚に含まれる金属製のデッキパン５が取り付けられている。
【００３６】
各棚３及びデッキパン５上の空間（商品陳列スペース）後方に対応する仕切板８には、左右に渡ってパンチングにより穿設された複数の冷気吹出孔１０が形成されている。尚、各冷気吹出孔１０は、上段の棚３に対応して形成されているものほど穿設数が少なく、下段の棚３に対応して形成されているものほど穿設数が多いものとされている。また、各冷気吹出孔１０は、それぞれダクト１１に連通している。
【００３７】
これにより、前記冷却装置の圧縮機とダクト１１内に配設された送風機が運転されると、ダクト１１内に配設された冷却器が冷却作用を発揮する。この冷却器にて冷却されたダクト１１内の冷気は、送風機にて吸い上げられて上方に吹き上げられ、やがて最上部の冷気吐出口１２から陳列室９内に吐出される。
【００３８】
冷気吐出口１２から吐出される冷気は、陳列室９の前下部に向けて指向される。これにより、陳列室９の前面開口２の上縁に形成された冷気吐出口１２から吐出された冷気は、前面開口２の下縁に形成された冷気吸込口１３に吸い込まれ、陳列室９の前面開口２には、冷気エアーカーテンが形成される。
【００３９】
また、仕切板８には、ダクト１１内と陳列室９内とを連通する冷気吹出孔１０が複数形成されているため、各冷気吹出孔１０を介して、陳列室９内に架設された各棚３上の空間には、後方から冷気が吹き出される。尚、仕切板８に穿設される冷気吹出孔の数により各棚３上方への冷気吹出量を調整しても良いが、これに限定されるものではなく、形成される冷気吹出孔１０の穿設面積によって調整しても良い。
【００４０】
そして、陳列室９内に吐出或いは吹き出された冷気は、最終的に冷気吸込口１３からダクト１１内に帰還する循環を行う。これにより、陳列室９内は、所定の温度に冷却される。
【００４１】
次に、本発明のカバー５０が着脱自在に取り付けられる棚３及びデッキパン５について図４及び図５を参照して説明する。図４は図１のオープンショーケース１の棚３の斜視図、図５は図１のオープンショーケース１のデッキパン（棚）５の斜視図をそれぞれ示している。棚３は、図４に示すように後端に上下所定間隔を有して後方に突出し、棚支柱１７の係合孔１８に係脱自在に係合する鉤状の複数の係合爪２２Ａ・・を有して前方に延在する左右一対のブラケット２２と、このブラケット２２の内側に前後摺動自在に取り付けられた図示しないレール部材と、このレール部材に摺動自在に係合支持された可動棚２４（金属製）とから構成された可動式の棚である。
【００４２】
デッキパン（棚）５も、図５に示すように断熱壁６に取り付けられたブラケット２６と、このブラケット２６の内側に前後摺動自在に取り付けられた図示しないレール部材と、このレール部材に摺動自在に係合支持された前述同様の可動棚２４とから構成された可動式の棚である。
【００４３】
上記レール部材により、各棚３及びデッキパン５の可動棚２４は陳列室９内から前方（手前側）に引き出し自在とされているが、各棚３及びデッキパン５の下面前部の両側に位置する可動棚２４の下面には、当該可動棚２４の前方への移動を許容及び規制するためのストッパ２８とその操作部２８Ａが取り付けられている（図３で棚３についてのみ示す）。
【００４４】
可動棚２４を陳列室９内から引き出す場合には、可動棚２４の下面に設けられたストッパ２８の操作部２８Ａを操作して可動棚２４の前方への移動を許容させる。そして、レール部材によりブラケット２２、２６に対して可動棚２４を前方に摺動させる。そして、可動棚２４を陳列室９内に収納する場合には、当該可動棚２４を後方に押し込む。その際の押し込み力によって、ストッパ２８が規制状態に復帰し、可動棚２４の前方への移動が規制される。
【００４５】
また、可動棚２４の前端部には商品名を記載したプライスカードを取り付けるためのプライスレール３１が取り付けられている。更に、可動棚２４上の両側部には、商品の陳列を禁止するための間隔保持部（金属製）３２、３２が階段状に隆起して構成されている。この間隔保持部３２は、上側の棚３の下面両側前部に取り付けられているストッパ２８及びその操作部２８Ａの下方に対応しており、商品が可動棚２４の両端に載置され、或いは、載置された後に移動するのを禁止し、上側の棚３のストッパ２８及びその操作部２８Ａに、下側の棚３（又はデッキパン５）の可動棚２４上の商品が衝突し、相互に干渉し合わないようにするためのガードである。
【００４６】
一方、棚３及びデッキパン５の前端部には、対応する棚３又はデッキパン（棚）５上の空間が前方に開放した状態と、当該空間前部が閉じた状態とに変更可能なカバー５０が着脱自在に取付可能とされる。尚、図３及び図６乃至図９では上から二段目の棚３に取り付けた例を示している。
【００４７】
当該カバー５０は、棚３又はデッキパン（棚）５上の空間前方に位置する前壁部５３と、この前壁部５３の両側から後方に延在する側壁部５２、５２と、この前壁部５３の上端から後方に延在する上壁部５１とが折曲形成された板状部材にて構成されている。前壁部５３は、棚３前端部及びデッキパン５前端部の左右方向に延在し、且つ、当該棚３及びデッキパン５上の空間を前方に位置して上下に延在して構成される。
【００４８】
本実施例では、カバー５０が棚３（又はデッキパン５）前端部に取り付けられた状態で、高さ寸法は、当該棚３（又はデッキパン５）の直ぐ上の棚３の下端に近接、又は、当接、若しくは、最上段の棚３の場合には、冷気吐出口１２、若しくは、その後方に近接する寸法とする。
【００４９】
即ち、カバー５０の前壁部５３上端部に形成された上壁部５１は、図３、図６に示すように後方に折曲され、この上壁部５１は所定距離で後方に延在している。カバー５０が棚３（又はデッキパン５）に取り付けられた状態で、この上壁部５１と直ぐ上の棚３との間隔、若しくは、前面開口２上縁との間隔は、少なくとも当該棚３（又はデッキパン５）の可動棚２４上に陳列される商品Ｓの幅寸法よりも小さくなるように構成され、当該カバー５０にてデッキパン５（又は棚３）上の空間前部が閉じられた状態でデッキパン５（又は棚３）上の商品Ｓを外部に取り出し不能とされるよう構成されている。
【００５０】
この場合、上壁部５１の両側部には切欠５１Ａ、５１Ａが形成されている。各切欠５１Ａ、５１Ａはカバー５０が棚３（又はデッキパン５）に取り付けられた状態で、その上側に位置する棚３のストッパ２８の操作部２８Ａに対応する。
【００５１】
また、カバー５０の前壁部５３の両側部には、後方に折曲されて側壁部５２、５２が形成される。各側壁部５２、５２下部の内側には、磁石（永久磁石）ＭＧがそれぞれ設けられている（図６では、当該磁石ＭＧを透視した状態を示している）。本実施例では、磁石ＭＧの吸着面は、側壁部５２の下縁と略面一とされている。この側壁部５２と側板７との各間隔も、少なくとも棚３（又はデッキパン５）に陳列される商品Ｓの幅寸法よりも小さくなるように構成され、当該カバー５０にて棚３（又はデッキパン５）上の空間前部が閉じられた状態で棚３（又はデッキパン５）上の商品Ｓを外部に取り出し不能とされるよう構成されている。
【００５２】
この場合、各側壁部５２の前下端部には、切欠５２Ａ、５２Ａが形成されている。各切欠５２Ａ、５２Ａはカバー５０が棚３（又はデッキパン５）に取り付けられた状態で、その下側に位置する棚３のプライスレール３１上端部に対応する。
【００５３】
また、カバー５０の前壁部５３の下部は、磁石ＭＧが間隔保持部３２に吸着した状態で、棚３（又はデッキパン５）の前方においてプライスレール３１より下方まで降下し、当該プライスレール３１を覆う寸法とされている。
【００５４】
そして、カバー５０の前壁部５３の両側部には、本実施例では、磁石ＭＧより上方に位置してそれぞれ施錠具４０、４０が設けられる。本実施例において、当該施錠具４０は、所謂シリンダ錠により構成されており、鍵挿入口４０Ａがカバー５０の前面に臨んで配設され、図示しない鍵の挿入、回動操作によって回動自在とされる止め具４１を有する。
【００５５】
この施錠具４０の側方に位置する両側壁部５２、５２には、カバー側施錠孔５４が形成されている。施錠具４０の施錠状態では、当該カバー側施錠孔５４と、詳細は後述する腕部材側施錠孔５８内に当該施錠具４０の止め具４１が進入する。
【００５６】
また、各側壁部５２の内側における前壁部５３の両側には、いずれも施錠具４０の側方に位置して一対の腕部材５６を挿入係合する係合孔５５が貫通形成されている。
【００５７】
各腕部材５６は前後に延在して構成される金属板から成り、その後端には上下所定間隔を有して後方に突出する鉤状の複数の係合爪５６Ａ・・が形成されて、該係合爪５６Ａは前記棚支柱１７のいずれかの係合孔１８に係合可能とされる。
【００５８】
この腕部材５６は、カバー５０が取り付けられた状態で、当該カバー５０の側壁部５２より後方に位置して、後部より前部が内側となる屈曲部５７が形成され、腕部材５６の前部がカバー５０の側壁部４１内側に位置する構成とされる。この腕部材５６の前部５６Ｂは、前端よりカバー５０の前壁部５３の両側に形成された各係合孔５５、５５に進入して係合可能とされる。
【００５９】
また、この腕部材５６には、腕部材側施錠孔５８が貫通して形成されている。施錠具４０の施錠状態では、前記カバー側施錠孔５４と合致された状態で、当該腕部材側施錠孔５８内に当該施錠具４０の止め具４１が進入する。
【００６０】
そして、この腕部材５６の下縁には、該前部５６Ｂがカバー５０の係合孔５５に進入した状態で、当該カバー５０の側壁部５２下部の内側に設けられた磁石ＭＧを回避する回避部５６Ｃが形成される。
【００６１】
係る構成の一対の腕部材５６の後部間には、各腕部材５６を相互に連結する連結部材５９が設けられている。図中６０は、当該連結部材５９と腕部材５６とを連結して固定するねじ部材である。この連結部材５９には、所定間隔を存して複数の通気孔５９Ａが形成されている。
【００６２】
以上の構成により、医薬品などの薬事法によりその販売時間帯などが制限された商品Ｓが特定の棚３又はデッキパン５上、本実施例では、上から二段目の棚３に陳列された場合について説明する。この場合、当該商品Ｓの販売が可能な時間帯には、他の棚３やデッキパン５と同様に、当該棚３上の空間３Ａが前方に開放した状態とする。これにより、顧客による任意な商品選択及び取出が可能となる。
【００６３】
他方、当該商品Ｓの販売に制限が課される時間帯では、当該商品Ｓが陳列された特定の棚３の前部に上述したようにカバー５０を取り付ける。次に、その取付手順を説明する。先ず、当該棚３のストッパ２８の操作部２８Ａを操作して商品Ｓを載せたまま当該棚３を手前の陳列室９外に引き出す。次に、左右一対の腕部材５６及びこれらを連結した連結部材５９を用意し、各腕部材５６の係合爪５６Ａを左右の棚支柱１７の当該棚３よりも所定寸法高い位置の係合孔１８に係脱自在にそれぞれ係合する。このとき、各腕部材５６、５６の屈曲部５７より後部は、側板７の内側に沿い、屈曲部５７より前部は、側板７よりも所定寸法内側に位置する。そして、当該棚３を陳列室９内に戻す。
【００６４】
次に、カバー５０の各側壁部５２、５２の内側に各腕部材５６、５６が位置するように当該カバー５０を当該棚３の前部に載置し、各腕部材５６、５６の前部５６Ｂ、５６Ｂをカバー５０の前壁部５３両側に形成された各係合孔５５内にそれぞれ進入させて係合する。この状態で、係合孔５５内に進入した腕部材５６の前部５６Ｂは、その一部が前壁部５３の前方に突出して、これらが係合する。これにより、予め支柱１７に取り付けられた各腕部材５６、５６に対して、前方からカバー５０を容易に係合させることができる。
【００６５】
このとき側壁部５２、５２の下部内側に設けられた磁石ＭＧ、ＭＧは当該棚３の間隔保持部３２、３２上に載置され、それに磁力によって着脱自在に吸着する。この状態でカバー５０は当該棚３の前方において自立状態で起立する。そして、当該棚３上の空間３Ａの前方を前述したように商品Ｓの取り出しが不能となるように閉じる。
【００６６】
このように、各腕部材５６、５６の前部５６Ｂ、５６Ｂが、カバー５０の各係合孔５５、５５にそれぞれ進入して係合した状態で、腕部材側施錠孔５８とカバー側施錠孔５４は合致する。そのため、腕部材５６の前部５６Ｂをカバー５０の係合孔５５に進入させ係合するのみで当該腕部材側施錠孔５８とカバー側施錠孔５４を合致させることができ、これらの位置決めが容易となる。
【００６７】
また、前述した如くカバー５０の前壁部５３下部は当該棚３のプライスレール３１を覆う。この際、プライスレール３１はその上端が棚３上より上方に突出して設けられているが、当該プライスレール３１の上端は、カバー５０の側壁部５２の切欠５２Ａを利用して、プライスレール３１が取り付けられた状態のまま、カバー５０を取り付けることができる。
【００６８】
次に、カバー５０に設けられた施錠具４０の鍵を回動させることにより、止め具４１が回動し、合致した状態の腕部材側施錠孔５８とカバー側施錠孔５４に施錠具４０の止め具４１を容易に進入させて、各腕部材５６、５６とカバー５０が連結した施錠状態となる。このように、簡単な構造にて、各腕部材５６、５６とカバー５０とを連結・施錠する構成を実現でき、これらの連結・施錠作業性を容易とすることができる。
【００６９】
以上のように、カバー５０は、棚前端部に取り付けられた状態で、前方への移動が止め具４１と腕部材側施錠孔５８との係合によって規制されるため、棚３からのカバー５０の取り外しが禁止される。
【００７０】
このように、カバー５０にて特定の棚３上の空間３Ａ前部を閉じることで、当該棚３（又はデッキパン５）上の商品Ｓを取り出せないようにすることが可能となる。これにより、例えば薬事法などにより販売形態が制限される商品であっても、当該商品が陳列される棚３（又はデッキパン５）上の空間３Ａ前部をカバー５０にて閉じることにより、顧客が任意に当該商品を取り出して販売に供されてしまう不都合を未然に回避することが可能となる。
【００７１】
特に、後端が棚支柱１７にそれぞれ係合された左右一対の腕部材５６、５６は、前部５６Ｂ、５６Ｂがカバー５０の前壁部５３に形成された両係合孔５５、５５にそれぞれ係合され、各腕部材５６、５６とカバー５０とが係合した状態で施錠具４０によって連結されるため、各腕部材５６、５６とカバー５０との連結を強固とすることができる。
【００７２】
そして、各腕部材５６、５６とカバー５０とは連結された状態で、施錠具４０にてこのカバー５０の取り外しを禁止することできるため、棚３上の空間３Ａ前部が閉じられた状態を厳格に維持することができ、顧客等により故意にカバー５０が取り外される等によって、当該前部３Ａが閉じられた状態の棚３上から商品Ｓ等が任意に取り出されてしまう不都合を確実に回避することができる。
【００７３】
また、腕部材５６、５６をカバー５０に施錠した状態で、カバー５０は前方に移動できなくなるので、当該棚３（又はデッキパン５）が前方に引き出されることで、当該棚３（又はデッキパン５）上の商品Ｓが取り出されてしまう不都合を防止することが可能となる。これにより、可動式の棚３やデッキパン５の棚の場合であっても厳格な商品管理を実現することが可能となる。
【００７４】
特に、本実施例では、施錠具４０は、カバー５０の前壁部５３に設けられると共に、施錠状態で各施錠孔５４、５８に内側から進入する止め具４１を有するため、別途錠前を付ける場合に比して施錠具４０を紛失等する事故が生じない。この場合、施錠具４０はカバー５０の前壁部５３にあるため、左右の側壁部５２に設けられる場合と異なり、ショーケース１に干渉しないものとすることができる。
【００７５】
また、施錠具４０の止め具４１は内側から各施錠孔５４、５８に進入する構成とされていると共に、各腕部材５６は各側壁部５３の内側にあるため、腕部材５６を故意に外側に変形させられ難くなる。そのため、当該腕部材５６が変形されると腕部材側施錠孔５８から止め具が外れてしまうが、腕部材５６を変形させるためには、カバー５０の側壁部５３も変形させなければならず、そのような不都合が生じ難くなる。
【００７６】
更に、腕部材５６は棚３を架設するための棚支柱１７を利用して取り付けられるので、腕部材５６をオープンショーケース１に固定するための格別な構造をオープンショーケース１側に構成する必要が無くなり、汎用性に富んだものとなると共に、生産コストの高騰も抑制することができるようになる。
【００７７】
また、カバー５０は棚３（又はデッキパン５）に吸着する磁石ＭＧを備え、この磁石ＭＧが吸着した状態で棚３（又はデッキパン５）前方において起立するようにしたので、カバー５０を取り付ける際に、腕部材５６と施錠するまで容易且つ安定的に棚３（又はデッキパン５）に起立させておくことができるようになり、着脱操作性が著しく向上する。
【００７８】
また、カバー５０の磁石ＭＧは当該カバー５０の両側部に設けられて棚３（又はデッキパン５）の各間隔保持部３２、３２に吸着するようにしたので、可動式の棚３のストッパ２８の操作部２８Ａとその下方の棚３（又はデッキパン５）上の商品との干渉を防ぐための間隔保持部３２、３２を利用して、カバー５０の磁石ＭＧが陳列商品と干渉することを防止することができるようになり、当該棚３（又はデッキパン５）上に商品が陳列された状態で支障なくカバー５０を取り付けることが可能となる。
【００７９】
また、各腕部材５６、５６は、前部５６Ｂ、５６Ｂが係合孔５５、５５に進入した状態で、カバー５０の側壁部５２下部の内側に設けられた磁石ＭＧの上側に位置するように構成されているため、いずれもカバー５０の内側に位置する磁石ＭＧと、各腕部材５６とが相互に干渉しないものとすることができ、支障なくカバー５０を取り付けることができる。
【００８０】
また、カバー５０は、棚３（又はデッキパン５）に取り付けられた状態で、前面に設けられたプライスレール３１も覆うようにしたので、販売を制限したい商品名も隠すことができるようになり、係る商品を故意に取り出されることをより確実に防止することが可能となる。
【００８１】
また、カバー５０の上部は後側に折曲され、後方に所定距離延在する上壁部５１が構成されているので、実施例のように複数段の棚３が所謂雛壇式に設けられ、棚３（又はデッキパン５）の上側の棚３が棚３（又はデッキパン５）よりも後退している場合にも、この後退した寸法分を上壁部５１が補い、カバー５０上側から手を差し入れて商品が取り出されてしまう不都合を防止することが可能となる。
【００８２】
また、カバー５０の上壁部５１には、上側の棚３の操作部２８Ａに対応する切欠５１Ａが形成されているので、カバー５０を棚３（又はデッキパン５）に取り付けても、カバー５０の切欠５１Ａを利用して当該棚３（又はデッキパン５）の上側の棚３のストッパ２８を支障なく操作することができるようになる。
【００８３】
更に、一対の腕部材５６、５６は、それぞれの後部間に渡って設けられた連結部材５９により相互に連結されているため、カバー５０を各腕部材５６、５６に取り付けた状態で、カバーの前壁部５３と、各側壁部５２、５２と、各腕部材５６、５６及び連結部材５９が枠状になり、強度を著しく向上させることができる。
【００８４】
また、各腕部材５６、５６が連結されることにより、それらを支柱１７に取り付ける際の位置決めが容易となり、各腕部材５６、５６の後端が異なる高さに取り付けられる不都合を解消することができる。更に、当該連結部材５９は、棚３の後部において、当該棚３上に陳列された商品Ｓの後側を押さえることができ、カバー取付の際に、商品Ｓが後方に倒れてしまう不都合を防止することができる。
【００８５】
更に、この連結部材５９には、複数の通気孔５９Ａが形成されているため、陳列室９の背面を構成する仕切板８に形成された冷気吹出孔１０を当該連結部材５９によって塞いでしまう不都合を解消することができ、係る連結部材５９の通気孔５９Ａと冷気吹出孔１０の重合部分より支障なく冷気を陳列室９内に吹き出すことができる。これによって、陳列室９内の冷気循環を邪魔する不都合を回避することができる。
【００８６】
尚、実施例では陳列室９の上から二段目の棚３にカバー５０を取り付けたが、それに限らず、それ以外の棚３（デッキパン５を含む）に取り付けても良い。但し、上部の棚３に設けられるものほど、前後寸法が小さくなるので、それらの棚３の前後寸法に応じて、腕部材５６の寸法を短くするものとする。
【００８７】
また、図１０及び図１１では、最上段の棚３に上記カバー５０と略同様に構成されたカバー７０を取り付けた例を示している。このカバー７０は、上記カバー５０と同様に、棚３上の空間前方に位置する前壁部７３と、この前壁部７３の両側から後方に延在する側壁部７２、７２と、この前壁部７３の上端から後方に延在する上壁部７１とが折曲形成された板状部材にて構成されている。
【００８８】
前壁部７３は、棚３前端部の左右方向に延在すると共に、当該棚３の空間を前方に位置して上下に延在して構成されているが、本実施例のように複数段の棚３が所謂雛壇式に設けられ、棚３（又はデッキパン５）の上側の棚３が棚３（又はデッキパン５）よりも後退しているため、最上段に設けられる棚３のカバー７０の前壁部７３は、上記前壁部５３とは異なり、上端が下端よりも後退するように、上端が後方に向けて傾斜して設けられている。そして、当該前壁部７３の下端部７３Ａは、棚３に設けられるプライスレール３１の前面に対応して略垂直となるように折曲形成されている。
【００８９】
これにより、冷気吐出口１２から吐出される冷気を最上段の棚３に設けられたカバー７０の前壁部７３に沿って流下させることができ、適切な冷気エアーカーテンの形成を促進しつつ、下端部７３Ａによって適切にプライスレール３１を隠すことができる。
【００９０】
また、本実施例では、カバー７０が最上段の棚３前端部に取り付けられた状態で、高さ寸法は、冷気吐出口１２、若しくは、その後方に近接する寸法とされている。そして、その上側に棚３が設けられないため、該棚３のストッパ２８の操作部２８Ａに対応して上壁部５１の両側部に形成されていた切欠５１Ａは形成されていない。
【００９１】
また、カバー５０の上壁部５１は、後方に延在して構成されていたが、当該カバー７０の上壁部７１は、前壁部７３の上端より所定寸法後方に向けて略水平に折曲形成されていると共に、当該上壁部７１は、当該棚３上に陳列される最前列の商品Ｓの前方にて終了している。これにより、当該棚３上の空間前部に冷気吐出口１２からの冷気の一部を支障なく導入させることができ、該空間の冷却効率を維持することができる。
【００９２】
また、実施例では可動式の棚やデッキパンを用いたが、必ずしもそれに限られるものでは無く、通常の固定式の棚やデッキパンでも本発明は有効である。
【符号の説明】
【００９３】
Ｓ    商品
ＭＧ  磁石
１    オープンショーケース
３    棚
９    陳列室
１０    冷気吹出孔
１２    冷気吐出口
１７    棚支柱
１８    係合孔
２８    ストッパ
２８Ａ  操作部
３１    プライスレール
３２    間隔保持部
４０    施錠具
４０Ａ  鍵挿入口
４１    止め具
５０、７０  カバー
５１、７１  上壁部
５１Ａ  切欠
５２、７２  側壁部
５３、７３  前壁部
５４    カバー側施錠孔
５５    係合孔
５６    腕部材
５６Ｂ  前部
５７    屈曲部
５８    腕部材側施錠孔
５９    連結部材
５９Ａ  通気孔
【図１】
0005857238.tif 000002
【図２】
0005857238.tif 000003
【図３】
0005857238.tif 000004
【図４】
0005857238.tif 000005
【図５】
0005857238.tif 000006
【図６】
0005857238.tif 000007
【図７】
0005857238.tif 000008
【図８】
0005857238.tif 000009
【図９】
0005857238.tif 000010
【図１０】
0005857238.tif 000011
【図１１】
0005857238.tif 000012